(57)【特許請求の範囲】
【請求項１】
階層的なファイルシステムに基づきデータを記録媒体に記録する記録方法において、
ファイルシステムの階層構造を管理する管理情報を記録媒体の特定領域に記録するようにし、
前記特定領域中の未使用領域を特別なファイルとして扱うようにし、
前記特定領域全体を別の領域にそのまま複写すると共に前記複写した特定領域全体を１つのバックアップファイルとして扱うようにし、
前記管理情報の一部が読み込めなくなった場合に、前記バックアップファイル中の前記一部に対応するデータを用いて、前記特別なファイルの大きさを小さくすることで前記特定領域に空いた部分に前記読み込めなくなった管理情報の一部を復旧するようにしたこと
を特徴とする記録方法。
【請求項２】
前記特別なファイルにおける初期の場所と大きさに関する情報および前記特別なファイルにおける現在の場所と大きさに関する情報を前記特定領域中に記録するようにしたこと
を特徴とする請求項１に記載の記録方法。
【請求項３】
前記特定領域に前記管理情報を追加する場合に、追加される管理情報に応じて前記特別なファイルの大きさを小さくし、
小さくされることで上記特定領域に空いた部分に前記追加される管理情報を記録するようにし、
前記追加される管理情報に応じて前記バックアップファイルを更新するようにしたこと
を特徴とする請求項１に記載の記録方法。
【請求項４】
前記特定領域に新たに前記管理情報を追加する領域が無くなった場合に、新たな特別なファイルを前記記録媒体の未使用領域に設定し、前記新たな特別なファイルにおける初期の場所と大きさに関する情報および前記新たな特別なファイルにおける現在の場所と大きさに関する情報を前記特定領域中に記録するようにして、特別なファイルの領域を拡大するようにしたこと
を特徴とする請求項２に記載の記録方法。
【請求項５】
階層的なファイルシステムに基づきデータを記録媒体に記録する記録装置において、
ファイルシステムの階層構造を管理する管理情報を記録媒体の特定領域に記録する手段と、
前記特定領域中の未使用領域を特別なファイルとして扱われるようにする手段と、
前記特定領域全体を別の領域にそのまま複写すると共に前記複写した特定領域全体を１つのバックアップファイルとして扱われるようにする手段と、
前記管理情報の一部が読み込めなくなった場合に、前記バックアップファイル中の前記一部に対応するデータを用いて、前記特別なファイルの大きさを小さくすることで前記特定領域に空いた部分に前記読み込めなくなった管理情報の一部を復旧するようにする手段とを備えること
を特徴とする記録装置。
【発明の詳細な説明】
【０００１】
【発明の属する技術分野】
本発明は、書き換え可能な記録媒体にデータを記録する記録方法に関し、特に、ファイルシステムの階層構造を管理する管理情報に障害が生じた場合に該管理情報を復旧することができる記録方法に関する。そして、該記録方法を利用する記録装置に関する。
【０００２】
【従来の技術】
近年、ＤＶＤ(Digital Versatile Disc)に代表される、高密度光ディスクの開発が進み、規格の標準化が進められている。これにより、メディア種別による各種の物理的記憶様式の相違をできるだけ吸収することとアプリケーションに対して共通性の高い情報記憶単位を提供する論理構造の構築とを目的として、ＵＤＦ(Universal Disk Format)が策定された。書き換え可能であるＤＶＤ−ＲＡＭ(DVD-Random Access Memory)は、このＵＤＦに従った論理フォーマットが用いられる。そして、書き込み可能なＣＤ−Ｒや、書き換え可能なＣＤ−ＲＷも、このＵＤＦを適用することができる。
【０００３】
ＵＤＦは、階層的なファイルシステムによって構成され、ルート・ディレクトリに格納された情報からサブ・ディレクトリや実体的なファイルが参照される。そして、ＵＤＦは、サブ・ディレクトリに格納された情報から、さらに別のサブ・ディレクトリの参照や、実体的なファイルの参照がなされる。以下、ディレクトリを「Ｄｉｒ．」と略記する。
【０００４】
ディスク上の記録領域は、セクタを最小単位としてアクセスされ、例えば、ＤＶＤ−ＲＡＭでは、ディスクの内側から外側へとアクセスがなされる。最内周側から、リードイン領域に続けてボリューム情報が書き込まれるシステム領域が配され、ここに、ＶＲＳ(Volume Recognition Sequence)、ＭＶＤＳ(Main Volume Descriptor Sequence)、ＬＶＩＳ(Logical Volume Integrity Sequence)およびＡＶＤＰ（Anchor Volume Descriptor Pointer）が書き込まれる。
【０００５】
ルート・Ｄｉｒ．のファイル・エントリ(File Entry、以下、「ＦＥ」と略記する。)が書き込まれる記録領域の位置は、ＡＶＤＰからＭＶＤＳおよびＦＳＤを順に参照することで認識される。ＦＥは、ファイルやディレクトリの属性情報およびアロケーション・ディスクリプタ(Allocation Descriptor、以下、「ＡＤ」と略記する。)からなる。ＡＤは、ファイルやディレクトリの論理アドレスと大きさとの情報である。
【０００６】
ルート・Ｄｉｒ．のＦＥにおいて、ＡＤによって実体としてのルート・Ｄｉｒ．の論理アドレスと大きさとが示される。ルート・Ｄｉｒ．は、１または複数のファイル識別記述子(File Identifier Descriptor、以下、「ＦＩＤ」と略記する。)を含み、ＦＩＤによって、ルート・Ｄｉｒ．下にあるサブ・Ｄｉｒ．のＦＥやファイルのＦＥが参照される。これらのＦＥによって、それぞれ対応するサブ・Ｄｉｒ．やファイルの実体がそれぞれのＡＤによって参照される。また、サブ・Ｄｉｒ．の実体は、さらに１または複数のＦＩＤを含むことができる。すなわち、ＵＤＦにおいて、ルート・Ｄｉｒ．を除いてディスクに記録されているサブ・Ｄｉｒ．やファイルは、ＦＩＤおよびＦＥをポインタとして、ＦＩＤ、ＦＥおよび実体の順にアクセスが行われ、認識される。ＵＤＦでは、このＦＩＤ、ＦＥおよび実体は、記録可能な領域のどこに書き込んでも良い。
【０００７】
【発明が解決しようとする課題】
ところで、ＦＩＤやＦＥなどのポインタ情報で構成される、ファイルシステムの階層構造を管理する管理情報に何らかの障害がディスクの使用中などに生じ、ドライブ装置が、読み出すことができなくなってしまう場合がある。このような場合では、動画データやオーディオデータなどの実データにたとえ障害が生じていない場合でも管理情報を読み出すことができないために、当該実データにアクセスすることができないという問題があった。
【０００８】
そこで、本発明の目的は、管理情報をファイル化して記録媒体に別に記録しておくことで、管理情報に障害が生じた場合には、該ファイルを参照して管理情報を復旧することができる記録方法および装置、ならびに、記録媒体を提供することにある。
【０００９】
【課題を解決するための手段】
本発明では、階層的なファイルシステムに基づきデータを記録媒体に記録する記録方法において、ファイルシステムの階層構造を管理する管理情報を記録媒体の特定領域に記録するようにし、前記特定領域中の未使用領域を特別なファイルとして扱うようにし、前記特定領域全体を別の領域にそのまま複写すると共に前記複写した特定領域全体を１つのバックアップファイルとして扱うようにし、前記管理情報の一部が読み込めなくなった場合に、前記バックアップファイル中の前記一部に対応するデータを用いて、前記特別なファイルの大きさを小さくすることで上記特定領域に空いた部分に前記読み込めなくなった管理情報の一部を復旧するように構成する。
【００１０】
そして、本発明では、階層的なファイルシステムに基づきデータを記録媒体に記録する記録装置において、ファイルシステムの階層構造を管理する管理情報を記録媒体の特定領域に記録する手段と、前記特定領域中の未使用領域を特別なファイルとして扱われるようにする手段と、前記特定領域全体を別の領域にそのまま複写すると共に前記複写した特定領域全体を１つのバックアップファイルとして扱われるようにする手段と、前記管理情報の一部が読み込めなくなった場合に、前記バックアップファイル中の前記一部に対応するデータを用いて、前記特別なファイルの大きさを小さくすることで前記特定領域に空いた部分に前記読み込めなくなった管理情報の一部を復旧するようにする手段とを備えて構成される。
【００１１】
このような記録方法および記録装置では、バックアップファイルを用いてオリジナルの管理情報を復旧することができるので、管理情報の一部に障害が生じた場合でも、記録媒体に記録されている実データを確実に再生することができる。そして、復旧すべきデータをオリジナルの管理情報が置かれている特定領域内に置くので、復旧後も管理情報は、特定領域内にまとめて置くことができる。このため、復旧後においても、ファイルシステムの階層構造を高速に読み出すことができ、再生開始時間を従来に較べて短縮することができる。
【００１２】
【発明の実施の形態】
以下、本発明の実施形態について図面に基づいて説明する。なお、各図において、同一の構成については、同一の符号を付す。
【００１３】
図１は、ディスク状記録媒体の論理フォーマットをディスクの形状に対応付けて示す略線図である。
【００１４】
図２は、フォーマット処理後におけるＳＭＡ−２の構造を説明するための略線図である。なお、図２Ａは、ＳＭＡ−２領域を示し、図２Ｂは、ＳＭＡ−３領域、特に、ＢＯＳの実体を示す。
【００１５】
図１において、ディスク状記録媒体１０の論理フォーマットは、ＵＤＦ(Universal Disk Format)に準ずる。ディスク状記録媒体１０において、最内周にリードイン領域１１が配される。リードイン領域１１の外側から論理セクタ番号（Logical Sector Number、以下「ＬＳＮ」と略記する。）が割り当てられ、順に、ボリューム情報領域１２、ＳＭＡ(Space management area)−１領域１５、ＳＭＡ−２領域１６、ＳＭＡ−３領域１７およびボリューム情報領域１３が配され、最外周にリードアウト領域１４が配される。論理セクタ番号は、ボリューム領域１２の先頭セクタが基準「０」となる。一方、ＳＭＡ−１領域１５〜ＳＭＡ−３領域１７には、ＳＭＡ−１領域の先頭セクタを基準「０」として論理ブロック番号（Logical Broke Number、以下「ＬBＮ」と略記する。）が割り当てられる。
【００１６】
ボリューム情報領域１２には、ＵＤＦの規定に基づき、ＶＲＳ、ＭＶＤＳおよびＬＶＩＳが書き込まれる。ボリューム情報領域１２内のＬＳＮ２５６には、ＡＶＤＰが置かれる。さらに、ＡＶＤＰは、最終論理セクタ番号のセクタおよび（最終論理セクタ番号−２５６）のセクタにも書き込まれる。また、ＭＶＤＳの内容は、リードアウト領域１４の内側にあるボリューム情報領域１３にＲＶＤＳ(Reserve Volume Descriptor Sequence)として２度書きされる。
【００１７】
論理セクタ番号が２７２から（最終論理セクタ番号−２７２）の間には、パーティション領域が設けられる。ＳＭＡ−１領域１５〜ＳＭＡ−３領域１７は、このパーティション領域に配される。パーティション領域の最内周側に設けられるＳＭＡ−１領域１５は、ＵＤＦの規定に基づき、ＦＳＤＳ(File Set Descriptor Sequence)とＳＢＤ(Space Bitmap Descriptor)とからなり、ＦＳＤＳは、ＦＳＤ(File Set Descriptor)とＴＤ（Terminating Descriptor）とからなる。ＳＢＤは、ディスク状記録媒体１０の全体の空きエリアを示す情報が格納され、セクタ毎にフラグを立てることでこれを表現する。ＦＳＤは、ファイルシステムの階層構造におけるルート・Ｄｉｒ．に対するＦＥ(File Entry)の論理アドレスと大きさとが示される。
【００１８】
図１および図２において、ＳＭＡ−２領域１６は、ルート・Ｄｉｒ．のＦＥ、ルート・Ｄｉｒ．の実体、ＢＯＳ（Back-up Of Space management file）のＦＥ、ＳＭＦ(Space Management File)のＦＥおよびＳＭＦの実体とが置かれる領域である。ＳＭＡ−２領域１６には、後述するようにＳＭＦの実体を必要に応じて必要量を削減することで、サブ・Ｄｉｒ．のＦＥ、ファイルを指すＦＩＤを含むサブ・Ｄｉｒ．の実体が置かれる。すなわち、ＦＩＤとディレクトリのＦＥとは、ＳＭＡ−２領域１６にまとめて記録されることになる。
【００１９】
ＳＭＦは、２個の実体から構成され、ＳＭＦのＦＥ中のＡＤ−０およびＡＤ−１によってそれぞれ指し示される。ＳＭＦの第１の実体は、ＳＭＦの第２の実体として初期に確保された領域の場所（論理アドレス）および大きさの情報を記述するために確保される領域である。図２では、ＡＤ−０によって指し示される領域である。ＳＭＦの第２の実体は、後述するように、フォーマット処理後にディスク状記録媒体１０にデータを記録する間に作成されるＦＩＤやディレクトリのＦＥに対して使用するために確保される領域である。図２では、ＡＤ−１によって指し示される領域である。
【００２０】
このようにＳＭＦを２個の実体に分け、第２の実体における初期の場所と大きさに関する情報を第１の実体に記述することで、ＳＭＦのＦＥが記録された場所やルート・Ｄｉｒ．のＦＥが記録された場所に因らず、ＳＭＡ−２領域１６を定義することができる。さらに、サブ・Ｄｉｒ．の削除やルート・Ｄｉｒ．下のファイルの削除などに柔軟に対応することができる。
【００２１】
このようなＳＭＦは、特定の属性が付されたファイルとしてＳＭＡ−２領域１６の未使用領域がフォーマット時に予め所定の容量で確保される。未使用領域をＳＭＦとしてファイル化して扱うことによって、上述のＳＢＤにおいて、この未使用領域が空きエリアとして認識されないようにすることができる。
【００２２】
ここで、ルート・Ｄｉｒ．のＦＥ、ルート・Ｄｉｒ．の実体およびＳＭＦのＦＥをそれぞれ格納するセクタは、ＳＭＡ−２領域１６の何れの場所でもよいが、これらへのアクセスを高速に行う観点から、図１に示すように、連続的に記録されることが望ましい。
【００２３】
従来例で既に述べたが、ＦＥは、ファイルやディレクトリの実体の場所および大きさを示す。ＦＥ中のＡＤによって、これらの情報が記される。また、ＦＩＤは、ファイルやディレクトリの名前と、ＦＩＤ中のＩＣＢ(Information Control
Block)によってＦＥの場所および大きさを示す。
【００２４】
ＳＭＡ−３領域１７には、ファイルのＦＥとファイルのデータとが置かれる領域であり、ＢＯＳの実体（ＢＯＳのデータ）もここに置かれる。ＢＯＳの実体は、ＳＭＡ−２領域１６にまとめて記録される管理情報をバックアップするためのファイルであり、図２Ｂに示すように、ＳＭＦのＡＤ−０の実体を参照することによって得られるＳＭＡ−２領域の完全なコピーである。ＢＯＳの実体の場所および大きさを示すＢＯＳのＦＥは、図２Ａに示すようにＳＭＡ−２領域１６に記録され、図２Ｂに示すようにＢＯＳの実体中にバックアップされる。
【００２５】
ＳＭＡ−３領域１７において、ファイルのＦＥとそのＦＥに対応したファイルのデータは、アドレス的に連続して配置されることが好ましい。ファイルを追加する際には、既存のファイルに対してアドレス的に連続的に、追加されるファイルのＦＥが配置され、さらに、アドレス的に連続してファイルのデータが配置されることが好ましい。このように、ファイルのＦＥおよびファイルのデータをアドレス的に連続して配置することにより、ファイルへのアクセスを高速に行うことができる。
【００２６】
次に、このディスク状記録媒体１０のフォーマット方法について、一例を説明する。なお、リードイン領域１１およびリードアウト領域１４は、例えば、ディスク状記録媒体１０の製造行程におけるプレス行程の際に予め作成されるなどして、フォーマット処理以前から既に存在するものとする。フォーマット処理は、ディスク状記録媒体１０の内周側から外周側にかけて進められる。
【００２７】
フォーマット処理が開始されると、最初にＡＶＤＰが複数の所定アドレスにそれぞれ書き込まれ、上述したＶＲＳ、ＭＶＤＳおよびＬＶＩＳがリードイン領域１１の外側から書き込まれる。
【００２８】
次に、パーティションが作成される。パーティションにおいて、先ず、ＳＭＡ−１領域１５が作成され、ＦＳＤが書き込まれ、ルート・Ｄｉｒ．の位置が決められる。そして、ＳＢＤが作成される。このときに、上述したＳＭＦの領域をＳＢＤにおいて使用済み領域とすることで、ＳＭＦの領域が確保される。
【００２９】
ＳＢＤが作成されＳＭＡ−１領域１５が作成されると、次に、ＳＭＡ−１領域１５の外側からＳＭＡ−２領域１６が作成される。
【００３０】
ＳＭＡ−２領域１６の作成において、先ず、ＳＭＡ−１領域１５で書き込まれたＦＳＤに基づき、所定のアドレスにルート・Ｄｉｒ．のＦＥを記述するセクタおよびルート・Ｄｉｒ．の実体を記述するセクタが連続的に確保され、それぞれにルート・Ｄｉｒ．のＦＥおよび実体が書き込まれる。
【００３１】
ルート・Ｄｉｒ．の実体は、フォーマット処理において、親Ｄｉｒ．のＦＩＤ、ＳＭＦのＦＩＤおよびＢＯＳのＦＩＤから構成される。ＳＭＦのＦＩＤは、ＳＭＦのＦＥの場所を指定し、ＢＯＳのＦＩＤは、ＢＯＳのＦＥの場所を指定する。
【００３２】
このとき、ＳＭＦおよびＢＯＳの属性が各ＦＩＤ中に指定される。指定されるＳＭＦおよびＢＯＳの属性は、ＳＭＦおよびＢＯＳが他の機器やＯＳ(Operating System)によって消去、書き換え、移動などが行われないようにするためのものである。例えば、「隠しファイル属性」が、ＳＭＦおよびＢＯＳの属性としてそれぞれ指定される。「隠しファイル属性」は、この属性が設定されたファイルを通常の方法では閲覧することができなくする属性である。
【００３３】
次に、ＢＯＳのＦＥが作成され、ＢＯＳの実体の場所と大きさとを指定するＡＤは、ここに置かれる。ここで、ＢＯＳの実体の大きさは、ＢＯＳの実体がＳＭＡ−２領域１６の情報を完全にコピーすることができる大きさである。
【００３４】
次に、ＳＭＦのＦＥが作成される。ＳＭＦのＦＥは、フォーマット処理の際には、第１の実体のファイルにおける場所と大きさとを指定するＡＤ−０と第２の実体のファイルにおける場所と大きさとを指定するＡＤ−１とを備えて構成される。
【００３５】
ＦＥを指定するだけで当該ファイルが存在することになるから、ＢＯＳのＦＥおよびＳＭＦのＦＥを作成することで、ＳＭＦの実体を置く領域とＢＯＳの実体を置く領域とがそれぞれ確保される。
【００３６】
また、ＢＯＳおよびＳＭＦの各ＦＥには、「読み出し専用ファイル属性」および「システムファイル属性」がそれぞれ指定される。「読み出し専用ファイル属性」は、この属性が設定されたファイルが読み出し専用であって、変更や消去がシステムによって禁止されることを示す属性である。「システムファイル属性」は、この属性が設定されたファイルがシステムのために必要なファイルであることを示す属性である。これら３つの属性を共にＢＯＳおよびＳＭＦにそれぞれ指定することで、意図的な操作以外では、ＢＯＳおよびＳＭＦに対する消去、書き換え、移動などの処理を行うことができなくすることができる。なお、これらの属性は、周知の所定の方法で解除することができる。
【００３７】
次に、ルート・Ｄｉｒ．の実体を記述するセクタに連続するようにＳＭＦの第１の実体が作成され、ＳＭＦの第２の実体における初期の場所および大きさがこれに記述される。すなわち、ファーマット処理時に確保されたＳＭＦの第２の実体における場所および大きさがＳＭＦの第１の実体に記述される。この記述の形式は、ＵＤＦに倣ってＡＤの形式で記述され、本明細書ではこの擬似的なＡＤを［ＡＤ］で表現する。図２では、［ＡＤ−ＳＭＡ２］である。そして、ＳＭＦの第２の実体が拡張され［ＡＤ］が複数存在する可能性があることから、この個数を示すために、ＵＤＦに倣ってＡＥＤ（Allocation Extent Descriptor）の形式で記述される。この擬似的なＡＥＤを本明細書では［ＡＥＤ］と表現する。
【００３８】
このように、ＳＭＡ−２領域１６内にＳＭＦを存在させることで、ＳＭＡ−２領域１６の空きエリアをＳＭＦによって確保することができる。フォーマット処理後に、サブ・Ｄｉｒ．のＦＥおよび実体が書き込まれる場合には、ＳＭＦの第２の実体における領域を削って、これらサブ・Ｄｉｒ．のＦＥおよび実体がＳＭＡ−２領域１６に作成される。
【００３９】
このようにしてＳＭＡ−２領域１６が作成される。ＳＭＡ−２領域１６の外側は、ＳＭＡ−３領域１７である。ＳＭＡ−３領域１７には、その一部分を用いてＢＯＳの実体が作成される。ＢＯＳの実体は、ＳＭＡ−２領域１６に記録されたファイルシステムの階層構造を管理する管理情報がファイル化されたデータである。すなわち、フォーマット処理時においては、ＢＯＳの実体は、ルート・Ｄｉｒ．のＦＥ、ルート・Ｄｉｒ．の実体、ＢＯＳのＦＥ、ＳＭＦのＦＥおよびＳＭＦの実体で構成され、このルート・Ｄｉｒ．の実体は、親Ｄｉｒ．のＦＩＤ、ＳＭＦのＦＩＤおよびＢＯＳのＦＩＤで構成される。
【００４０】
そして、ＢＯＳの実体の領域を除くＳＭＡ−３領域１７は、未使用の領域であり、フォーマット処理後にファイルのデータなどが記録される。そして、ＳＭＡ−３領域１７として指定される領域を飛び越して、ＲＶＤＳが作成される。ＲＶＤＳが作成されて、ディスク状記録媒体１０のフォーマット処理が完了される。
【００４１】
次に、フォーマット処理後にサブ・Ｄｉｒ．やファイルを追加する方法について説明する。
【００４２】
図３は、フォーマット処理後にサブディレクトリやファイルを追加する方法を説明するための略線図である。なお、図３Ａは、ＳＭＡ−２領域を示し、図３Ｂは、ＳＭＡ−３領域、特に、ＢＯＳの実体を示す。
図２の状態に対して、サブ・Ｄｉｒ．１、…、サブ・Ｄｉｒ．Ｘ、…の追加を行う場合について説明する。
【００４３】
先ず、ルート・Ｄｉｒ．の実体に対して、サブ・Ｄｉｒ．１を示すＦＩＤの追加が行われる。このとき、ルート・Ｄｉｒ．の実体が格納されているセクタに空きがある場合には、図３Ａに示すように、当該セクタに追加が行われる。一方、図に示さないが、当該セクタに空きがない場合には、ＳＭＦの第２の実体におけるエリアの大きさ（サイズ）を小さくした後に、小さくされたことによって空いたエリアにサブ・Ｄｉｒ．１のＦＩＤが追加される。
【００４４】
次に、サブ・Ｄｉｒ．１のＦＥを追加するため、ＳＭＦの第２の実体におけるエリアの大きさを小さくする。
【００４５】
次に、サブ・Ｄｉｒ．１の実体（図３では親Ｄｉｒ．のＦＩＤ、子ｆｉｌｅのＦＩＤ）を追加するために、ＳＭＦの第２の実体における大きさをさらに小さくする。
【００４６】
次に、これまでのＳＭＦの第２の実体における大きさの変更を反映するために、ＳＭＦのＦＥにおけるＡＤ−１の情報が更新される。
【００４７】
次に、ＳＭＡ−２領域１６の変更を反映するために、ＢＯＳの実体を書き換える。すなわち、ＳＭＡ−２領域１６の内容を読み込み、そのまま、ＢＯＳの実体に割り当てられている領域に書き込む。ＢＯＳの実体は、ルート・Ｄｉｒ．のＦＥ、ルート・Ｄｉｒ．の実体、ＢＯＳのＦＥ、ＳＭＦのＦＥ、ＳＭＦのＡＤ−０が指し示す実体、サブ・Ｄｉｒ．１のＦＥおよびサブ・Ｄｉｒ．１の実体から構成され、ルート・Dｉｒ．の実体は、親Ｄｉｒ．のＦＩＤ、ＳＭＦのＦＩＤ、ＢＯＳのＦＩＤおよびサブ・Ｄｉｒ．１のＦＩＤから構成され、サブ・Ｄｉｒ．１の実体は、親Ｄｉｒ．のＦＩＤおよび子ｆｉｌｅのＦＩＤから構成される。
【００４８】
このような動作をサブ・Ｄｉｒ．２、サブ・Ｄｉｒ．３、……について、その都度行った結果、ＳＭＡ−２領域１６は、図３Ａに示すようになる。
【００４９】
なお、上述の処理では、ＳＭＡ−２領域の内容に変更があった都度、ＳＭＡ−２領域の内容をバックアップするＢＯＳの実体の内容を変更したが、これに限定されるものではない。ＢＯＳの実体の内容を変更する時期（タイミング）は、ディスク状記録媒体１０をドライブ装置に挿抜する際や、所定の一定期間の経過ごとや、ルート・Ｄｉｒの実体に追加されるＦＩＤを計数して所定の数、例えば、３個に達したごとや、ユーザの指示などでもよい。
【００５０】
また、上述では、ディレクトリを追加する場合について説明したが、ファイルを追加する場合は、次にようになる。
【００５１】
先ず、ルート・Ｄｉｒ．の実体に対して、新ファイルを示すＦＩＤの追加が行われる。このとき、ルート・Ｄｉｒ．の実体が格納されているセクタに空きがある場合には、当該セクタに追加が行われる。一方、当該セクタに空きがない場合には、ＳＭＦの第２の実体におけるエリアの大きさを小さくした後に、小さくされたことによって空いたエリアに新ファイルのＦＩＤが追加される。この場合においては、ＳＭＦの第２の実体における大きさが変更されたので、ＳＭＦのＦＥにおけるＡＤ−１の情報が更新される。次に、新ファイルのＦＥがＳＭＦ−３領域１７のエリアに追加される。次に、新ファイルの実体がＳＭＦ−３領域１７のエリアに追加される。このようにファイルのＦＥおよび実体は、ＳＭＡ−３領域１７に配置される。
【００５２】
このような動作の結果、新ファイルがルート・Ｄｉｒ．下に追加され、しかも、追加された新ファイルに関する情報が既に記録されているディレクトリに関する情報と共にＳＭＡ−２領域１６にまとめて記録されることになる。
【００５３】
ところで、例えば、ＳＭＡ−２領域１６に置かれたルート・Ｄｉｒ．下に多くのサブ・Ｄｉｒ．や新ファイルを追加したような場合、ルート・Ｄｉｒ．の実体中のＦＩＤや、サブ・Ｄｉｒ．のＦＥ、サブ・Ｄｉｒ．の実体中の新ファイルのＦＩＤが多数、追加されることになる。この結果、追加されたＦＥやＦＩＤによって、ＳＭＡ−２領域１６が一杯になってしまうことが考えられる。
【００５４】
このような場合には、ＳＭＡ−３領域１７の容量に空きがある場合に当該空きを利用して、ＳＭＡ−３領域１７をさらに複数のＳＭＡ領域に分割することによって、ＳＭＡ−２領域１６を拡張した領域であるＳＭＡ−４領域と、データを記録するＳＭＡ−３領域に相当するＳＭＡ−５領域とをＳＭＡ−３領域１７におけるファイルが存在する位置の外側に新たに作成する。
【００５５】
図４は、ＳＭＦの第２の実体を拡張した場合のＳＭＡ−２領域とＳＭＡ−４領域との状態およびバックアップファイルの状態を示す略線図である。図４Ａは、ＳＭＦの第２の実体を使い切ったＳＭＡ−２領域の状態を示し、図４Ｂは、ＳＭＦの第２の実体を拡張した場合のＳＭＡ−２領域とＳＭＡ−４領域との状態を示し、図４Ｃは、バックアップファイルの状態を示す。
【００５６】
図４Ｂにおいて、このＳＭＡ−４領域の確保によって、ＳＭＦのＡＤ−０が指し示す実体には、ＳＭＡ−４領域の初期における場所と大きさに関する情報がＡＤの形式で［ＡＤ−ＳＭＡ４］として追加され、このテーブルの追加に伴い［ＡＥＤ］が更新される。ＳＭＦのＦＥには、新たに確保されたＳＭＡ−４領域を指し示す場所と大きさがＡＤ−２として追加される。
【００５７】
さらに、ＳＭＡ−４領域の内容をバックアップするための領域がＳＭＡ−３領域内に確保されない場合には、図示しないがＢＯＳの実体がＳＭＡ−５領域に拡張され、該拡張されたＢＯＳの実体を指し示す場所と大きさを記述するＡＤがＳＭＡ−２領域１６のＢＯＳのＦＥに追加される。
【００５８】
そして、ルート・Ｄｉｒ．下にサブ・Ｄｉｒ．やファイルが追加される場合には、図２および図３を用いて上述で説明した動作と同様な動作がＡＤ−２によって指し示されるＳＭＦの第２の実体に対して行われる。
【００５９】
バックアップファイルを作成する場合には、図４Ｂおよび図４Ｃに示すように、ＳＭＡ−２領域およびＳＭＡ−４領域に置かれる管理情報のみをバックアップする。すなわち、ＢＯＳの実体は、ＳＭＦのＡＤ−０の実体における［ＡＤ−ＳＭＡ２］を参照してＳＭＡ−２領域をそのままコピーし、［ＡＤ−ＳＭＡ４］を参照してＳＭＡ−４領域をそのままコピーすることによって作成される。
【００６０】
次に、ＳＭＡ−２領域１６に置かれた管理情報中におけるサブ・Ｄｉｒ．のＦＥが読み込めなくなった場合について、その復旧方法を説明する。
【００６１】
図５は、障害が発生したサブ・Ｄｉｒ．のＦＥを復旧する処理を説明するの略線図である。
【００６２】
図５Ａは、サブ・Ｄｉｒ．Ｘに障害が発生した状態を示し、図５Ｂおよび図５Ｃは、ＢＯＳの実体中に置かれたサブ・Ｄｉｒ．ＸのＦＥを用いて、ＳＭＡ−２領域１６中にサブ・Ｄｉｒ．ＸのＦＥを復旧した状態を示す。
【００６３】
図５Ａにおいて、ルート・Ｄｉｒ．下にあるサブ・Ｄｉｒ．Ｘについて、そのＦＩＤがルート・Ｄｉｒ．の実体に置かれ、このサブ・Ｄｉｒ．ＸのＦＩＤによってＬＢＮ bにあるサブ・Ｄｉｒ．ＸのＦＥが指し示され、このサブ・Ｄｉｒ．ＸのＦＥによってサブ・Ｄｉｒ．Ｘの実体が指し示される。サブ・Ｄｉｒ．Ｘの実体は、親Ｄｉｒ．のＦＩＤ、子ｆｉｌｅのＦＩＤ、…などで構成される。
【００６４】
このような場合に障害によってサブ・Ｄｉｒ．ＸのＦＥが読み込めなくなると、インプリメンテーション（Implementation）は、ＢＯＳの実体を用いて管理情報を復旧する。
【００６５】
まず、インプリメンテーションは、サブ・Ｄｉｒ．ＸのＦＥを指し示すＬＢＮ b、ＢＯＳの実体を指し示すＬＢＮ xおよびＳＭＦのＡＤ−０の実体を調べる。ＳＭＡ−２領域１６の先頭位置を差し示すＬＢＮ aは、ＳＭＦのＡＤ−０の実体を参照することによって認識される。
【００６６】
次に、インプリメンテーションは、これらを用いてＢＯＳの実体中に置かれているサブ・Ｄｉｒ．ＸのＦＥの場所を調べる。
【００６７】
ここで、ＳＭＦのＡＤ−０の実体を調べるのは、ディスク状記録媒体の使用中にサブ・Ｄｉｒ．ＦＥ、サブ・Ｄｉｒ．の実体およびファイルのＦＩＤによって初期のＳＭＡ−２領域１６が拡張されている可能性があるからである。
【００６８】
そこで、図４Ｃに示す場合でＢＯＳの実体中に置かれているサブ・Ｄｉｒ．ＸのＦＥの場所を調べる場合には、ＦＩＤによって示されるサブ・Ｄｉｒ．ＸのＦＥのＬＢＮをＬＢＮ bとすると、まず、ＬＢＮ bが初期におけるＳＭＦの第２の実体の何れにあるかを調べる。すなわち、ＬＢＮ bが［ＡＤ−ＳＭＡ２］からＳＭＡ−２領域にあるか、［ＡＤ−ＳＭＡ４］からＳＭＡ−４領域にあるかを調べる。この結果により、ＬＢＮ ａからのオフセット値を求める。つまり、ＬＢＮ bがＳＭＡ−２領域にある場合には、オフセット値は（ＬＢＮ b−ＬＢＮ a）であり、ＬＢＮ bがＳＭＡ−４領域にある場合には、オフセット値は（ＳＭＡ−２領域の大きさ）＋（ＬＢＮ b−（ＳＭＡ−４領域の先頭ＬＢＮ））である。このオフセット値をｆ（ＬＢＮ b、［ＳＭＦのＡＤ−０の実体］）とおく。なお、ｙ＝ｆ（ｘ）は、ｙがｘの関数であることを示す。
【００６９】
例えば、ＳＭＦの拡張がない場合には、サブ・Ｄｉｒ．ＸのＦＥの場所は、ＬＢＮ x＋（ＬＢＮ b−ＬＢＮ a）である。このようにＬＢＮ xからのオフセット値＝ｆ（ＬＢＮ b、［ＳＭＦのＡＤ−０の実体］）を計算することで、インプリメンテーションは、ＢＯＳの実体中に置かれているサブ・Ｄｉｒ．ＸのＦＥを認識することができる。
【００７０】
次に、インプリメンテーションは、調べたＢＯＳの実体中におけるサブ・Ｄｉｒ．ＸのＦＥを読み込む。
【００７１】
次に、インプリメンテーションは、読み込んだサブ・Ｄｉｒ．ＸのＦＥを追加するため、ＳＭＦの第２の実体におけるエリアの大きさを小さくし、空いたエリアにサブ・Ｄｉｒ．ＸのＦＥを所定の変更をディスクリプタ・タグ（Descriptor
Tag）に施した上で追加する。
【００７２】
次に、インプリメンテーションは、ＳＭＦの第２の実体における大きさの変更を反映するために、ＳＭＦのＦＥにおけるＡＤ−１の情報を更新する。
【００７３】
次に、インプリメンテーションは、サブ・Ｄｉｒ．ＸのＦＥにおける位置の変更を反映するために、サブ・Ｄｉｒ．ＸのＦＩＤを書き換える。
【００７４】
次に、インプリメンテーションは、障害が発生した不良セクタへのアクセスを行わないようにするために、該不良セクタをＳＭＦの管理外に置く。すなわち、ＳＭＦの初期領域を定義するＳＭＦのＡＤ−０の実体から該不良セクタを除外する。
【００７５】
次に、インプリメンテーションは、ＳＭＡ−２領域１６の変更を反映するために、ＢＯＳの実体を書き換える。
【００７６】
このようにして、障害が生じたサブ・Ｄｉｒ．ＸのＦＥは、バックアップであるＢＯＤの実体を参照すると共にＳＭＦの第２の実体を減縮することによって、ＳＭＡ−２領域１６に置かれる管理情報内に復元される。したがって、障害が生じたサブ・Ｄｉｒ．ＸのＦＥを復元した場合でも、管理情報は、すべてＳＭＡ−２領域１６内に纏めて置かれることになる。
【００７７】
次に、ＳＭＡ−２領域１６に置かれた管理情報中におけるサブ・Ｄｉｒ．の実体が読み込めなくなった場合について、その復旧方法を説明する。
【００７８】
図６は、障害が発生したサブ・Ｄｉｒ．の実体を復旧する処理を説明するの略線図である。
【００７９】
図６Ａは、サブ・Ｄｉｒ．Ｘの実体に障害が発生した状態を示し、図６Ｂおよび図６Ｃは、ＢＯＳの実体中に置かれたサブ・Ｄｉｒ．Ｘの実体を用いて、ＳＭＡ−２領域１６中にサブ・Ｄｉｒ．Ｘの実体を復旧した状態を示す。
【００８０】
図６Ａにおいて、ルート・Ｄｉｒ．下にあるサブ・Ｄｉｒ．Ｘについて、そのＦＩＤがルート・Ｄｉｒ．の実体に置かれ、このサブ・Ｄｉｒ．ＸのＦＩＤによってサブ・Ｄｉｒ．ＸのＦＥが指し示され、このサブ・Ｄｉｒ．ＸのＦＥによってＬＢＮ cにあるサブ・Ｄｉｒ．Ｘの実体が指し示される。サブ・Ｄｉｒ．Ｘの実体は、親Ｄｉｒ．のＦＩＤ、子ｆｉｌｅのＦＩＤ、…などで構成される。親Ｄｉｒ．のＦＩＤは、サブ・Ｄｉｒ．１のＦＥを指し示し、子ｆｉｌｅのＦＩＤは、ＳＭＡ−３領域１７中に置かれる子ｆｉｌｅのＦＥを指し示し、このＦＥによって子ｆｉｌｅの実データが指し示される。
【００８１】
このような場合に障害によってサブ・Ｄｉｒ．Ｘの実体が読み込めなくなると、ドライブ装置は、ＢＯＳの実体を用いて管理情報を復旧する。
【００８２】
まず、インプリメンテーションは、サブ・Ｄｉｒ．Ｘの実体を指し示すＬＢＮ c、ＢＯＳの実体を指し示すＬＢＮ xおよびＳＭＦのＡＤ−０の実体を調べる。
【００８３】
次に、インプリメンテーションは、これらを用いてＢＯＳの実体中に置かれているサブ・Ｄｉｒ．Ｘの実体の場所をＬＢＮ xからのオフセットを計算することで調べる。
【００８４】
次に、インプリメンテーションは、調べたＢＯＳの実体中におけるサブ・Ｄｉｒ．Ｘの実体を読み込む。
【００８５】
次に、インプリメンテーションは、読み込んだサブ・Ｄｉｒ．Ｘの実体を追加するため、ＳＭＦの第２の実体におけるエリアの大きさを小さくし、空いたエリアにサブ・Ｄｉｒ．Ｘの実体を追加する。
【００８６】
次に、インプリメンテーションは、ＳＭＦの第２の実体における大きさの変更を反映するために、ＳＭＦのＦＥにおけるＡＤ−１の情報を更新する。
【００８７】
次に、インプリメンテーションは、サブ・Ｄｉｒ．Ｘの実体における位置の変更を反映するために、サブ・Ｄｉｒ．ＸのＦＥを書き換える。
【００８８】
次に、インプリメンテーションは、障害が発生した不良セクタへのアクセスを行わないようにするために、該不良セクタをＳＭＦの管理外に置く。これにより、不良セクタへのアクセスが行われなくなりバックアップを安全に確実に行うことができる。
【００８９】
次に、ＳＭＡ−２領域１６の変更を反映するために、ＢＯＳの実体を書き換える。
【００９０】
このようにして、障害が生じたサブ・Ｄｉｒ．Ｘの実体は、ＢＯＤの実体を参照すると共にＳＭＦの第２の実体を減縮することによって、ＳＭＡ−２領域１６に置かれる管理情報内に復元される。したがって、障害が生じたサブ・Ｄｉｒ．Ｘの実体を復元した場合でも、管理情報は、すべてＳＭＡ−２領域１６内にまとめて置かれることになる。
【００９１】
次に、本発明に適用することができるドライブ装置について説明する。
【００９２】
図７は、ドライブ装置の一例の構成を示す図である。
【００９３】
ここでは、上述したディスク状記録媒体１０は、記録層に相変化金属材料を用いた記録媒体とし、ドライブ装置５０は、レーザの出力を調節することによって記録層に加える温度を制御して結晶／非結晶に状態を変えさせる相変化技術により、ディスク状記録媒体１０にデータの記録を行う。
【００９４】
図７において、ドライブ装置５０は、スピンドルモータ５１、光学ピックアップ５２、レーザドライバ５３、記録イコライザ５４、バッファ用のメモリ５５、エンコーダ／デコーダ回路５６（以下、「ＥＮＣ／ＤＥＣ回路」と略記する。）５６、スレッド機構５７、ＲＦ信号処理回路５８、アドレス抽出５９、ドライブ制御マイコン６０、インターフェース（以下、「Ｉ／Ｆ」と略記する。）６１、サーボ回路６２およびメモリ６３を備えて構成される。
【００９５】
スピンドルモータ５１は、チャックされたディスク状記録媒体１０を回転駆動し、回転速度は、サーボ回路６２によってサーボ制御される。
【００９６】
ディスク状記録媒体１０に対するデータの記録また再生は、光学ピックアップ５２によって行われる。光学ピックアップ５２は、スレッド機構５７によってディスク状記録媒体１０の径方向にスレッド移送される。
【００９７】
外部のディジタル機器７１からのデータは、Ｉ／Ｆ６１、例えば、ＳＣＳＩ(Small Computer System Interface）を介してドライブ装置５０に供給される。ここで、ディジタル機器７１は、ディジタル信号の入出力を行いインターフェイスが適合していれば、どのようなディジタル機器でも良く、例えば、パーソナルコンピュータやカメラ付き携帯用ディジタルビデオレコーダなどであり、さらに、これら機器に内蔵されるものとしても良い。
【００９８】
Ｉ／Ｆ６１には、ＥＮＣ／ＤＥＣ回路５６およびドライブ制御マイコンが接続され、ＥＮＣ／ＤＥＣ回路５６には、バッファ用のメモリ５５、記録イコライザ５４、ＲＦ信号処理回路５８、サーボ回路６２およびドライブ制御マイコン６０が接続される。
【００９９】
メモリ５５は、ライトデータまたはリードデータを保持するバッファ用のメモリである。ライトデータは、Ｉ／Ｆ６１を介してディジタル機器７１からＥＮＣ／ＤＥＣ回路５６に供給される。ＥＮＣ／ＤＥＣ回路５６は、記録時には上述したフォーマットのデータを生成し、その後にそのフォーマットに従ってデータをエンコードする。そして、ＥＮＣ／ＤＥＣ回路５６は、再生時にはデコード処理を行い、Ｉ／Ｆ６１を介してディジタルデータをディジタル機器７１に出力する。
【０１００】
アドレスは、例えば、ＥＮＣ／ＤＥＣ回路５６において、サブコードとして付加され、また、データ中のヘッダに対しても付加される。
【０１０１】
ＥＮＣ／ＤＥＣ５６からのデータは、記録イコライザ５４を介してレーザドライバ５３に供給される。レーザドライバ５３は、ディスク状記録媒体１０に対してデータを記録するために必要な所定のレベルを有するドライブ波形が生成される。レーザドライバ５３の出力が光学ピックアップ５２内のレーザに対して供給され、当該出力に応じた強度のレーザ光がディスク状記録媒体１０に照射され、データが記録される。また、レーザドライバ５３は、ＲＦ信号処理回路５８内のＡＰＣ(Automatic Power Control) によって、上述したように、レーザ光の強度が適切に制御される。
【０１０２】
一方、ディスク状記録媒体１０からの戻り光により光学ピックアップ５２で発生した信号は、ＲＦ信号処理回路５８に供給される。アドレス抽出回路５９は、ＲＦ信号処理回路５８から供給された当該信号に基づき、アドレス情報の抽出を行う。抽出されたアドレス情報は、ドライブ制御マイコン６０に供給される。
【０１０３】
また、ＲＦ信号処理回路５８は、マトリックスアンプが光学ピックアップ５２内のフォトディテクタの検出信号を演算することによって、トラッキングエラー信号ＴＥ、フォーカスエラー信号ＦＥを生成する。トラッキングエラー信号ＴＥ、フォーカスエラー信号ＦＥがサーボ回路６２に供給される。
【０１０４】
ドライブ制御マイコン６０がアドレスを使用してシーク動作を制御し、また、制御信号を使用してレーザパワーの制御等を行う。ドライブ制御マイコン６０は、ＣＰＵ(Central Processing Unit)、ＲＡＭ(Random Access Memory)およびＲＯＭ(Read Only Memory)などからなり、Ｉ／Ｆ６１、ＥＮＣ／ＤＥＣ回路５６、ＲＦ信号処理回路５８およびサーボ回路６２等、ドライブ全体を制御する。よって、ドライブ制御マイコン６０は、サブ・Ｄｉｒ．の追加・削除およびファイルの追加・削除の際に上述した各種の処理を行う。また、ドライブ制御マイコン６０に対してメモリ６３を接続することもできる。
【０１０５】
さらに、ディスク状記録媒体１０を再生することで得られるＲＦ信号がＥＮＣ／ＤＥＣ回路５６に供給され、ＥＮＣ／ＤＥＣ回路５６では、記録時に施された変調処理の復調、エラー訂正符号の復号（すなわち、エラー訂正）等の所定のフォーマットに準ずるデコードを行う。ＥＮＣ／ＤＥＣ回路５６は、再生データをバッファ用のメモリ５５に格納し、ディジタル機器７１からのリードコマンドを受け付けると、リードデータがＩ／Ｆ６１を介してディジタル機器に対して転送される。
【０１０６】
ＲＦ信号処理回路５８からのフレーム同期信号、トラッキングエラー信号ＴＥおよびフォーカスエラー信号ＦＥ、および、アドレス抽出回路５９からのアドレス情報がサーボ回路６２に供給される。サーボ回路６２は、光学ピックアップ５２に対するトラッキングサーボおよびフォーカスサーボと、スピンドルモータ５１に対するスピンドルサーボと、スレッド機構５７に対するスレッドサーボとを行う。
【０１０７】
なお、上述では、ディスク状記録媒体１０に対するフォーマットデータをＥＮＣ／ＤＥＣ回路５６で生成するように説明したが、これはこの例に限定されない。フォーマットデータは、ドライブ制御マイコン６０で生成することができる。また、フォーマットデータは、ディジタル機器７１から供給するようにしても良い。
【０１０８】
なお、上述では、本発明が光ディスクドライブ装置や光磁気ディスクドライブ装置などの、換装可能な書き換え可能なディスク状記録媒体のドライブ装置に適用される場合について説明したが、本発明は、これに限定されず適用可能である。本発明は、記録媒体上に記録されるデータが記録媒体上に在る所定の管理情報によって管理されるようにした記録媒体のドライブ装置、例えば、ハードディスクドライブ装置などの固定ドライブ装置にも適用可能である。
【０１０９】
【発明の効果】
以上、説明したように、本発明は、ファイルシステムの階層構造を管理する管理情報が特別なファイルを有する特定領域にまとめて記録され、さらに、この管理情報をファイルとしてそのままコピーしてバックアップするので、このオリジナルな管理情報の一部に障害が生じた場合でも、バックアップのファイルを利用することによって障害が生じた部分を、特別なファイルを減縮することで空いた特定領域内のエリアに復元することができる。そのため、ドライブ装置は、障害を復旧した後はバックアップのファイルを読み込むことなく、オリジナルな管理情報を読み込むことでファイルシステムの階層構造を認識することができる。さらに、ドライブ装置は、障害を復旧した場合でも、管理情報は、特定領域にまとめて記録されるので、管理情報を高速に読み出すことができる。
【０１１０】
そして、本発明では、特別なファイルにおける初期の場所と大きさに関する情報およびこの特別なファイルにおける現在の場所と大きさに関する情報を特定領域中に記録するようにしたので、特定領域の場所および大きさを確実に認識することができる。
【０１１１】
さらに、本発明によれば、フォーマット処理の際に確保されたＳＭＡ−２領域が一杯になった場合には、ＳＭＡ−２領域の空き領域として管理されるファイルの情報を書き換えるだけで、ＳＭＡ−２領域を拡張することができるという効果がある。
【０１１２】
また、本発明によれば、障害が発生した不良セクタを特別なファイルの管理外に置くので、不良セクタへのアクセスを行わないようにすることができる。このため、バックアップファイルを安全に確実に作成することができる。
【図面の簡単な説明】
【図１】ディスク状記録媒体の論理フォーマットをディスクの形状に対応付けて示す略線図である。
【図２】フォーマット処理後におけるＳＭＡ−２の構造を説明するための略線図である。
【図３】フォーマット処理後にサブディレクトリやファイルを追加する方法を説明するための略線図である。
【図４】ＳＭＦの第２の実体を拡張した場合のＳＭＡ−２領域とＳＭＡ−４領域との状態およびバックアップファイルの状態を示す略線図である。
【図５】障害が発生したサブ・Ｄｉｒ．のＦＥを復旧する処理を説明するの略線図である。
【図６】障害が発生したサブ・Ｄｉｒ．の実体を復旧する処理を説明するの略線図である。
【図７】ドライブ装置の一例の構成を示すブロック図である。
【符号の説明】
１０  ディスク状記録媒体
１５  スペース・マネジメント・エリア−１
１６  スペース・マネジメント・エリア−２
１７  スペース・マネジメント・エリア−３
２１  ルート・ディレクトリのファイル・エントリ
２２  ルート・ディレクトリの実体
２３  スペース・マネジメント・ファイルのファイル・エントリ
【図１】
0003707396.tif 000002
【図２】
0003707396.tif 000003
【図３】
0003707396.tif 000004
【図４】
0003707396.tif 000005
【図５】
0003707396.tif 000006
【図６】
0003707396.tif 000007
【図７】
0003707396.tif 000008